(57)【要約】【課題】遊技盤の設計変更に対して柔軟に対応でき、かつ、それ自体が遊技盤設計上の制限要素となり難い球通路を備えた遊技機を提供する。【解決手段】普通入賞口３４，３５の球通路１００として、裏ユニット７０の前面側にネジ止め固定される遊技球案内部１１０、球出口部材１２０及びこれら間を蛇行しつつ連結する透明なフッ素系の軟質合成樹脂製の可撓性チューブ１３０を備える。遊技球案内部１１０は、入り口１１１を普通入賞口の背後に臨ませる様に設置され、遊技球を入り口から後方に導いた後に下方に導く誘導路１１２と下向き筒部１１３が一体形成され、可撓性チューブ１３０の上端部を下向き筒部１１３に外嵌させる様にして下方から装着する。球出口部材１２０は上向き筒部１２１を有し、可撓性チューブ１３０を内嵌させる様に上方から装着する。【選択図】  図２
2015012944.tif 000002
【特許請求の範囲】
【請求項１】
入賞口に入賞した遊技球を遊技盤裏面側の所定の排出位置へと誘導する球通路を備えた遊技機において、以下の構成を備えたことを特徴とする遊技機。
（１）前記球通路は、前記入賞口と前記排出位置との間において、上端及び下端を遊技盤の裏面に沿う方向に向けて設置された可撓性チューブを備えていること。
（２）前記可撓性チューブは、内部を透視できる合成樹脂素材によって形成されていること。
【請求項２】
さらに、以下の構成をも備えていることを特徴とする請求項１に記載の遊技機。
（３）入り口を前記入賞口の背後に臨ませ、遊技球を当該入り口から後方に導いた後に下方に導く誘導路を有する遊技球案内部を備えると共に、前記可撓性チューブは、前記遊技球案内部の下方に向かう誘導路に連続して下方に伸びる様に設置されていること。
【請求項３】
さらに、以下の構成をも備えていることを特徴とする請求項２に記載の遊技機。
（４）前記遊技球案内部が前記誘導路に連続して下方に伸びる下向き筒部を有し、前記可撓性チューブは、その上端部を前記下向き筒部に外嵌させる様にして前記遊技球案内部に対して下方から装着されていること。
【請求項４】
さらに、以下の構成をも備えていることを特徴とする請求項３に記載の遊技機。
（５）前記下向き筒部は、根元に外側に飛び出す段部を有すると共に、下端に向かって肉厚が徐々に減少されていること。
【請求項５】
さらに、以下の構成をも備えていることを特徴とする請求項３又は４に記載の遊技機。
（６）前記遊技球案内部には、前記下向き筒部の上端付近において遊技球を検知する検知スイッチが備えられていること。
【請求項６】
さらに、以下の構成をも備えていることを特徴とする請求項２〜５のいずれかに記載の遊技機。
（７）前記可撓性チューブの下端部には、当該可撓性チューブの下端開口を前記排出位置に臨ませる様に位置決めする球出口部材が備えられていること。
【請求項７】
さらに、以下の構成をも備えていることを特徴とする請求項６に記載の遊技機。
（８）前記球出口部材が上方に伸びる上向き筒部を有し、前記可撓性チューブは、その下端部を前記上向き筒部に内嵌させる様にして前記球出口部材に対して上方から装着されていること。
【請求項８】
さらに、以下の構成をも備えていることを特徴とする請求項７に記載の遊技機。
（９）前記球出口部材は、前記上向き筒部の根元に内側に向かう段部を有し、該段部は、前記上向き筒部に装着された前記可撓性チューブの内面よりも内側に飛び出さない寸法とされていること。
【請求項９】
さらに、以下の構成をも備えていることを特徴とする請求項６〜８のいずれかに記載の遊技機。
（１０）前記可撓性チューブは、前記遊技球案内部から前記球出口部材に向かう間に上昇部を形成しない様に蛇行させて設置されていること。
【請求項１０】
さらに、以下の構成をも備えていることを特徴とする請求項９に記載の遊技機。
（１１）前記遊技盤の裏面には、当該遊技盤側に伸びる枠部を有する裏ユニットが取り付けられ、前記遊技球案内部及び前記球出口部材は前記裏ユニットの前面側に取り付けられ、前記可撓性チューブは、前記裏ユニットの枠部の内側に位置する様に、前記遊技球案内部と前記球出口部材との間に装着されていること。
【発明の詳細な説明】
【技術分野】
【０００１】
本発明は、入賞口に入賞した遊技球を遊技盤裏面側の所定の排出位置へと誘導する球通路を備えた遊技機に関する。
【背景技術】
【０００２】
従来より、図９（Ａ）に示す様に、入賞口に入賞した遊技球を機外へと排出するため、遊技盤裏面に装着される基板ケースと一体形成された箱枠状の球通路を備えた遊技機が知られている（特許文献１）。
【０００３】
また、図９（Ｂ）に示す様に、上部の開閉役物の入球口から下部の開閉役物の入球口の直上へと遊技球を導くための管状の球通路を備えた遊技機も知られている（特許文献２）。
【０００４】
さらに、図９（Ｃ）に示す様に、遊技盤に貫設された貫通孔を介して流入した遊技球を所要位置まで誘導するフレキシブル管を備えた遊技機も知られている（特許文献３）。
【先行技術文献】
【特許文献】
【０００５】
【特許文献１】実用新案登録第３０５８７６５号公報（図６）
【特許文献２】特開２００６−０３４５３３号公報（図３）
【特許文献３】特開２０００−３４２８０８号公報（図１〜図３）
【発明の概要】
【発明が解決しようとする課題】
【０００６】
こうした球通路は、遊技盤に取り付けられる液晶表示装置のサイズの変更、可動体の機構の変更、入賞口の位置の変更等といった盤面構成の変更に伴って、その都度変更する必用がある。
【０００７】
特許文献３のフレキシブル管を用いる技術では、こうした設計変更への対応は比較的容易ではあるが、フレキシブル管が潰れない様に曲率半径を大きくして下方に屈曲させる必用があるため、全体として後方に大きく飛び出し、フレキシブル管自体が遊技盤の背面の構造に対する制限要素となってしまう。
【０００８】
そこで、本発明は、遊技盤の設計変更に対して柔軟に対応でき、かつ、それ自体が遊技盤設計上の制限要素となり難い球通路を備えた遊技機を提供することを目的とする。
【課題を解決するための手段】
【０００９】
上記目的を達成するためになされた本発明の遊技機は、入賞口に入賞した遊技球を遊技盤裏面側の所定の排出位置へと誘導する球通路を備えた遊技機において、以下の構成を備えたことを特徴とする。
（１）前記球通路は、前記入賞口と前記排出位置との間において、上端及び下端を遊技盤の裏面に沿う方向に向けて設置された可撓性チューブを備えていること。
（２）前記可撓性チューブは、内部を透視できる合成樹脂素材によって形成されていること。
【００１０】
本発明の遊技機によれば、入賞口と排出位置との間を可撓性チューブとしたので、盤面構成の変更があった場合も、球通路を容易に変更することが可能となる。また、本発明の遊技機では、この可撓性チューブを、上端及び下端を遊技盤の裏面に沿う方向に向けて設置する構成としたので、可撓性チューブを後方に大きく屈曲する必用がなく、遊技盤設計上の制限要素とならない。よって、遊技盤の盤面構成の変更に対して適切な球通路の設置を容易に実施することができる。
【００１１】
また、可撓性チューブの内部を透視できることにより、製造工程において遊技球の流れを確認する作業を容易に実施でき、遊技球の流れを妨げたりしない様に設置する作業を容易に実施できる。また、合成樹脂素材で製造された可撓性チューブは全体として連続した円弧状に湾曲されるので、設置に際して他の部品との干渉を避ける様に曲がりを形成しても、潰れない様に曲げることが容易であり、内面に引っ掛かり部分が生じない球通路とすることができる。特に、内面平滑なチューブとし、フッ素系合成樹脂の様に、耐摩耗性が高く、遊技球を滑らせ易い素材を用いるとよい。なお、内部を透視可能とするに当たっては、透明に限らず、半透明としても構わない。
【００１２】
また、これら本発明の遊技機は、さらに、以下の構成をも備えるとよい。
（３）入り口を前記入賞口の背後に臨ませ、遊技球を当該入り口から後方に導いた後に下方に導く誘導路を有する遊技球案内部を備えると共に、前記可撓性チューブは、前記遊技球案内部の下方に向かう誘導路に連続して下方に伸びる様に設置されていること。
【００１３】
入り口を入賞口の背後に臨ませた遊技球案内部を備えることにより、可撓性チューブによる球通路を正確な入り口位置を有する様に設置する作業を容易に実施できる。そして、この遊技球案内部が入り口から後方に導いた後に下方に導く誘導路を備えることにより、可撓性チューブの上端を遊技盤の裏面に沿わせつつ、遊技盤裏面との間に適度な隙間を形成することができる。従って、可撓性チューブの設置についての自由度を高めると共に、入り口を正確に設置することができる。
【００１４】
この場合、さらに、以下の構成をも備えるとよい。
（４）前記遊技球案内部が前記誘導路に連続して下方に伸びる下向き筒部を有し、前記可撓性チューブは、その上端部を前記下向き筒部に外嵌させる様にして前記遊技球案内部に対して下方から装着されていること。
【００１５】
かかる構成を採用することにより、遊技球案内部の誘導路から可撓性チューブへと連続する部分を通過する遊技球が衝突する様な下流側での内側への出っ張りを形成することなく可撓性チューブを遊技球案内部に対して装着することができる。よって、遊技球をスムーズに排出位置へと落下させることができる。
【００１６】
この場合、さらに、以下の構成をも備えるとよい。
（５）前記下向き筒部は、根元に外側に飛び出す段部を有すると共に、下端に向かって肉厚が徐々に減少されていること。
【００１７】
下向き筒部の根元の段部が可撓性チューブの上端位置を規制し、装着作業における位置決めを容易に行うことができる。また、下向き筒部を下端に向かって肉厚が徐々に減少されたものとすることで、例えば、内面側の径を徐々に広げる様に肉厚減少させることで、下向き筒部と可撓性チューブの連続部分での内径の変化量を小さくすることができる。逆に、下向きつつ部の外面側の径を徐々に小さくなる様に肉厚減少させることで、下向き筒部に対して可撓性チューブを装着し易くすることができる。
【００１８】
これら遊技球案内部を備える場合、さらに、以下の構成をも備えるとよい。
（６）前記遊技球案内部には、前記下向き筒部の上端付近において遊技球を検知する検知スイッチが備えられていること。
【００１９】
遊技球案内部の下向き筒部の上端付近に検知スイッチを備えることにより、遊技球が可撓性チューブに至る前に正確にカウントすることができる。ここで、遊技球案内部を合成樹脂射出成形による一体成形品、あるいは合成樹脂射出成形部品を組み立てた組立体としておけば、検知スイッチの設置が容易となり、検知位置を正確に設定することができる。この場合、下向き筒部を備え、その根元に外側に広がる段部を有するものにあっては、当該段部の付近に検知スイッチを設置する様に構成すれば、遊技球案内部をコンパクトに設計できると共に検知スイッチの設置位置が安定する。この結果、遊技盤の盤面変更に対して、遊技球案内部をコンパクトな汎用部品化することも可能となる。
【００２０】
また、遊技球案内部を備えた遊技機は、さらに、以下の構成をも備えるとよい。
（７）前記可撓性チューブの下端部には、当該可撓性チューブの下端開口を前記排出位置に臨ませる様に位置決めする球出口部材が備えられていること。
【００２１】
かかる構成をも採用することにより、可撓性チューブによる球通路の下端側の位置決めを正確かつ容易に実行することができる。なお、球通路を複数有する遊技機にあっては、球出口部材は、個々の球通路の個々の可撓性チューブ毎に設けるとよい。可撓性チューブの設置の自由度が高くなり、互いに重なり合わない様に適切な配置を容易に実施することができる。
【００２２】
この場合、さらに、以下の構成をも備えるとよい。
（８）前記球出口部材が上方に伸びる上向き筒部を有し、前記可撓性チューブは、その下端部を前記上向き筒部に内嵌させる様にして前記球出口部材に対して上方から装着されていること。
【００２３】
かかる構成を採用することにより、可撓性チューブをしっかりと装着できると共に上向き筒部の上端が内側への出っ張りを形成することがない。よって、遊技球をスムーズに排出位置へと落下させることができる。
【００２４】
この場合、さらに、以下の構成をも備えるとよい。
（９）前記球出口部材は、前記上向き筒部の根元に内側に向かう段部を有し、該段部は、前記上向き筒部に装着された前記可撓性チューブの内面よりも内側に飛び出さない寸法とされていること。
【００２５】
上向き筒部の根元の段部で可撓性チューブの下端位置を規定できると共に、段部はチューブの内面よりも内側に飛び出さない寸法なので、遊技球の流れを妨げることがない。
【００２６】
これら遊技球案内部及び球出口部材を備えた遊技機は、さらに、以下の構成をも備えるとよい。
（１０）前記可撓性チューブは、前記遊技球案内部から前記球出口部材に向かう間に上昇部を形成しない様に蛇行させて設置されていること。
【００２７】
可撓性チューブを蛇行させることで遊技球の落下速度を減速気味にコントロールすることもでき、遊技球案内部から球出口部材に向かう間に上昇部を形成しない様に蛇行させることで、遊技球が留まる様なトラップ構造を避けることができる。
【００２８】
この場合、さらに、以下の様に構成するとよい。
（１１）前記遊技盤の裏面には、当該遊技盤側に伸びる枠部を有する裏ユニットが取り付けられ、前記遊技球案内部及び前記球出口部材は前記裏ユニットの前面側に取り付けられ、前記可撓性チューブは、前記裏ユニットの枠部の内側に位置する様に、前記遊技球案内部と前記球出口部材との間に装着されていること。
【００２９】
かかる構成を備えることにより、蛇行する様に設置した可撓性チューブは裏ユニットの枠部の内側に収まり、裏ユニットの裏面側に取り付けられる種々の基板等の設置に対して影響を与えない。また、遊技球案内部及び球出口部材を裏ユニットの前面側に取り付けるので、これら遊技球案内部及び球出口部材も枠部の内側に収まる。そして、これら遊技球案内部及び球出口部材は、入賞口や排出位置の変更に伴って裏ユニット側の取付ネジ孔等を変更するだけで正確な位置に設置することができる。
【００３０】
上記目的を達成するためになされた遊技機は、次の様に構成することもできる。
即ち、入賞口に入賞した遊技球を遊技盤裏面側の所定の排出位置へと誘導する球通路を備えた遊技機において、以下の構成を備えたことを特徴とする遊技機。
（２１Ａ）前記球通路として、入り口を前記入賞口の背後に臨ませ、遊技球を当該入り口から後方に導いた後に下方に導く誘導路を有する遊技球案内部と、当該遊技球案内部の下方に向かう誘導路に連続して下方に伸びる様に設置された可撓性チューブと、前記可撓性チューブの下端開口を前記排出位置に臨ませる様に位置決めする球出口部材とを備えていること。
（２１Ｂ）前記遊技盤の裏面には、当該遊技盤側に伸びる枠部を有する裏ユニットが取り付けられ、前記遊技球案内部及び前記球出口部材は前記裏ユニットの前面側に取り付けられ、前記可撓性チューブは、前記裏ユニットの枠部の内側に位置する様に、前記遊技球案内部と前記球出口部材との間に装着されていること。
【００３１】
さらに、以下の構成をも備えている遊技機。
（２２Ａ）前記遊技球案内部が前記誘導路に連続して下方に伸びる下向き筒部を有し、前記可撓性チューブは、その上端部を前記下向き筒部に外嵌させる様にして前記遊技球案内部に対して下方から装着されていること。
（２２Ｂ）前記球出口部材が上方に伸びる上向き筒部を有し、前記可撓性チューブは、その下端部を前記上向き筒部に内嵌させる様にして前記球出口部材に対して上方から装着されていること。
（２２Ｃ）前記可撓性チューブは、前記遊技球案内部から前記球出口部材に向かう間に上昇部を形成しない様に設置されていること。
【００３２】
さらに、以下の構成をも備えている遊技機。
（２３Ａ）前記下向き筒部は、根元に外側に飛び出す段部を有すると共に、下端に向かって肉厚が徐々に減少されていること。
（２３Ｂ）前記球出口部材は、前記上向き筒部の根元に内側に向かう段部を有し、該段部は、前記上向き筒部に装着された前記可撓性チューブの内面よりも内側に飛び出さない寸法とされていること。
【００３３】
さらに、以下の構成をも備えている遊技機。
（２４）前記遊技球案内部には、前記下向き筒部の上端付近において遊技球を検知する検知スイッチが備えられていること。
【発明の効果】
【００３４】
本発明によれば、遊技盤の設計変更に対して柔軟に対応でき、かつ、それ自体が遊技盤設計上の制限要素となり難い球通路を備えた遊技機を提供することができる。
【図面の簡単な説明】
【００３５】
【図１】実施例１としての羽根物タイプのパチンコ機を示し、（Ａ）は遊技盤を取り外した状態の斜視図、（Ｂ）は正面図、（Ｃ）は分解斜視図である。
【図２】実施例１のパチンコ機を示し、（Ａ）は遊技盤の正面図、（Ｂ），（Ｃ）は要部の斜視図である。
【図３】実施例１のパチンコ機における球通路を示し、（Ａ）は縦断面図、（Ｂ）は斜視図である。
【図４】羽根物タイプのパチンコ機において遊技盤の盤面構成の変更に伴う球通路の設置例を示し、（Ａ），（Ｂ）は遊技盤の正面図、（Ｃ），（Ｄ）は裏ユニット正面から見た球通路設置状況の説明図である。
【図５】実施例２としての普通機タイプのパチンコ機を示し、（Ａ）は遊技盤の正面図、（Ｂ）は裏ユニット正面から見た球通路設置状況の説明図である。
【図６】実施例３としての普通機タイプのパチンコ機を示し、（Ａ）は遊技盤の正面図、（Ｂ）は裏ユニット正面から見た球通路設置状況の説明図である。
【図７】実施例４としてのデジパチタイプのパチンコ機における球通路の設置状況を示す説明図である。
【図８】実施例５としてのデジパチタイプのパチンコ機を示し、（Ａ）は遊技盤の正面図、（Ｂ）は裏ユニット正面から見た球通路設置状況の説明図である。
【図９】従来技術の説明図である。
【発明を実施するための形態】
【００３６】
以下、本発明の実施形態として、具体的な実施例を図面に基づき詳細に説明する。
【実施例１】
【００３７】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００３８】
実施例１のパチンコ遊技機Ｐは、図１に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠（遊技盤取付枠）Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００３９】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００４０】
［２  遊技盤の概要］
本実施例において、遊技盤１はベニヤで構成され、図２に示す様に、羽根物タイプのセンター役物１０を取り囲む様に形成された遊技領域２の下部に取り付けられた始動入賞口３１〜３３と、左右の装飾体４０，５０と、下部装飾体６０と、障害釘や風車などを備えている。この左右の装飾体４０，５０には普通入賞口３４，３５が備えられ、下部装飾体６０の左右にも普通入賞口３６，３７が備えられている。また、センター役物１０自体も入賞口として機能する。遊技盤１の裏面には、これら入賞口３１〜３７及びセンター役物１０と連絡して球通路を設置した裏ユニット７０が取り付けられている。
【００４１】
本実施例においては、左右の装飾体４０，５０に設けられた普通入賞口３４，３５の球通路１００として、図２（Ｂ），（Ｃ）及び図３に示す様に、遊技盤１の裏面に取り付けられる裏ユニット７０の前面側にネジ止め固定される遊技球案内部１１０、球出口部材１２０及びこれら間を連結する透明なフッ素系の軟質合成樹脂製の可撓性チューブ１３０を備えている。遊技球案内部１１０及び球出口部材１２０は、合成樹脂成形部品の組立体となっている。また、可撓性チューブ１３０は内径１２〜１３φで内面平滑とされている。
【００４２】
遊技球案内部１１０は、その入り口１１１を普通入賞口３４，３５の背後に臨ませ、遊技球を入り口１１１から後方に導いた後に下方に導く誘導路１１２を有する。この誘導路１１２には、連続して下方に伸びる下向き筒部１１３が一体形成され、可撓性チューブ１３０は、その上端部を下向き筒部１１３に外嵌させる様にして遊技球案内部１１０に対して下方から装着されている。
【００４３】
遊技球案内部１１０の下向き筒部１１３は、根元に外側に飛び出す外向き段部１１４を有すると共に、内径同一のままで下端に向かって肉厚が徐々に減少され、上端から下端に向かって外径が減少する様にテーパした外面を有している。また、遊技球案内部１１０には、下向き筒部１１３の上端付近において遊技球を検知する検知スイッチ１１５が備えられている。
【００４４】
球出口部材１２０は、可撓性チューブ１３０の下端開口を排出位置に臨ませる様に位置決めするための部品であって、上方に伸びる上向き筒部１２１を有する。可撓性チューブ１３０は、その下端部を上向き筒部１２１に内嵌させる様にして球出口部材１２０に対して上方から装着されている。
【００４５】
また、球出口部材１２０は、上向き筒部１２１の根元に内側に向かう内向き段部１２２を有している。この内向き段部１２２は、上向き筒部１２１に装着された可撓性チューブ１３０の内面よりも内側に飛び出さない寸法とされている。
【００４６】
可撓性チューブ１３０は、遊技球案内部１１０から球出口部材１２０に向かう間に上昇部を形成しない様に蛇行させて設置される。裏ユニット７０は、遊技盤１側に伸びる枠部７１を有し、遊技球案内部１１０、球出口部材１２０及び可撓性チューブ１３０は、この枠部７１の内側に位置する様に装着される。
【００４７】
実施例１によれば、入賞口と排出位置との間を可撓性チューブ１３０で連絡する構成としたので、図４に例示する様に、遊技盤１と遊技盤２で盤面構成の変更があった場合も、球通路１００を容易に変更することが可能である。また、可撓性チューブ１３０を、上端及び下端を遊技盤１の裏面に沿う方向に向けて設置する構成としたので、可撓性チューブ１３０を後方に大きく屈曲する必用がなく、遊技盤設計上の制限要素とならない。よって、遊技盤１の盤面構成の変更に対して適切な球通路１００の設置を容易に実施することができる。
【００４８】
また、可撓性チューブ１３０の内部が透視できるから、製造工程において遊技球の流れを確認する作業を容易に実施できる。この結果、可撓性チューブ１３０をどの様に取り回したら遊技球の流れを妨げたりしないかを確認しつつ設置作業を行うことも容易である。また、合成樹脂素材で製造された可撓性チューブ１３０は全体として連続した円弧状に湾曲されるので、設置に際して他の部品との干渉を避ける様に曲がりを形成しても、潰れない様に曲げることが容易であり、内面に引っ掛かり部分が生じない球通路１００とすることができる。特に、本実施例は、内面平滑なフッ素系合成樹脂製のチューブを採用しているので、耐摩耗性が高く、遊技球を滑らせ易い。
【００４９】
また、入り口１１１を入賞口３４，３５の背後に臨ませた遊技球案内部１１０を備えることにより、可撓性チューブ１３０を用いていても球通路１００を正確な入り口位置を有する様に設置する作業を容易に実施できる。そして、この遊技球案内部１１０が入り口１１１から後方に導いた後に下方に導く誘導路１１２を備えることにより、遊技盤１の裏面から離して可撓性チューブ１３０を接続することができる。この結果、可撓性チューブ１３０の上端を遊技盤１の裏面に沿わせつつ、遊技盤１の裏面との間に適度な隙間を形成する様に装着することができる。従って、可撓性チューブ１３０の設置についての自由度を高めると共に、入り口１１１を正確に設置させることもできている。
【００５０】
さらに、可撓性チューブ１３０は、その上端部を下向き筒部１１３に外嵌させる様にして遊技球案内部１１０に対して下方から装着されているので、遊技球案内部１１０の誘導路１１３から可撓性チューブ１３０へと連続する部分を通過する遊技球が衝突する様な下流側での内側への出っ張りを形成することなく可撓性チューブ１３０を遊技球案内部１１０に対して装着することができる。よって、遊技球をスムーズに排出位置へと落下させることができる。
【００５１】
なお、下向き筒部１１３の根元の外向き段部１１４が可撓性チューブ１３０の上端位置を規制し、装着作業における位置決めを容易に行うこともできる。また、下向き筒部１１３を下端に向かって外面側の径を徐々に小さくなる様に肉厚減少させているので、下向き筒部１１３に対して可撓性チューブ１３０を装着し易くなっている。
【００５２】
そして、遊技球案内部１１０は、その下向き筒部１１３の上端付近に検知スイッチ１１５を備えているので、遊技球が可撓性チューブ１３０に至る前に正確にカウントすることができる。なお、遊技球案内部１１０は、合成樹脂射出成形部品を組み立てた組立体であるから、検知スイッチ１１５を正確な検知位置に装着することができる。
【００５３】
本実施例では、下向き筒部１１３の根元の外向き段部１１４の付近に検知スイッチ１１５を設置しているので、遊技球案内部１１０をコンパクトに設計できると共に検知スイッチ１１５の設置位置が安定している。この結果、遊技盤１の盤面変更に対して、図４に例示する様に、遊技球案内部１１０をコンパクトな汎用部品化することが可能となっている。
【００５４】
また、可撓性チューブ１３０の下端部には、その下端開口を排出位置に臨ませる様に位置決めする球出口部材１２０が備えられているから、可撓性チューブ１３０を用いていても球通路１００の下端側の位置決めを正確かつ容易に実行することができる。実施例１では、球出口部材１２０を、個々の球通路の個々の可撓性チューブ毎に設けているので、可撓性チューブ１３０の設置の自由度が高くなり、互いに重なり合わない様に適切な配置を容易に実施することができる。
【００５５】
さらに、球出口部材１２０が上向き筒部１２１を有し、可撓性チューブ１３０は、その下端部を上向き筒部１２１に内嵌させる様にして球出口部材１２０に対して上方から装着されているから、可撓性チューブ１３０をしっかりと装着できると共に上向き筒部１２１の上端が内側への出っ張りを形成することがない。よって、遊技球をスムーズに排出位置へと落下させることができる。
【００５６】
加えて、球出口部材１２０は、上向き筒部１２１の根元に内向き段部１２２を有するから、上向き筒部１２１の根元の段部１２２で可撓性チューブ１３０の下端位置を規定できる。また、内向き段部１２２はチューブの内面よりも内側に飛び出さない寸法なので、遊技球の流れを妨げることもない。
【００５７】
そして、可撓性チューブ１３０は、遊技球案内部１１０から球出口部材１２０に至る間に蛇行させているから遊技球の落下速度を減速気味にコントロールすることもでき、遊技球案内部１１０から球出口部材１２０に向かう間に上昇部を形成しない様に蛇行させているから、遊技球が留まる様なトラップ構造も避けることができている。
【００５８】
また、本実施例では、板部材（遊技盤１）と前方へ伸びる枠部７１を有する裏ユニット７０で盤を構成し、遊技球案内部１１０及び球出口部材１２０を裏ユニット７０の前面側に取り付け、可撓性チューブ１３０は、裏ユニット７０の枠部７１の内側に位置する様に遊技球案内部１１０と球出口部材１２０との間に装着されているから、蛇行する様に設置した可撓性チューブ１３０は裏ユニット７０の枠部７１の内側に収まり、裏ユニット７０の裏面側に取り付けられる種々の基板等の設置に対して影響を与えない。また、遊技球案内部１１０及び球出口部材１２０を裏ユニット７０の前面側に取り付けるので、これら遊技球案内部１１０及び球出口部材１２０も枠部７１の内側に収まる。そして、これら遊技球案内部１１０及び球出口部材１２０は、入賞口３６，３７や排出位置の変更に伴って裏ユニット７０側の取付ネジ孔等を変更するだけで正確な位置に設置することができる。
【実施例２】
【００５９】
実施例２は、いわゆる普通機と呼ばれるタイプのパチンコ遊技機に本発明を適用した例である。図５に示す様に、遊技盤２０１の遊技領域２０３に、左上チューリップ式入賞装置２１１と、その直下に位置する左中チューリップ式入賞装置２１２と、さらにその直下に位置する左下普通入賞装置２１３と、さらにその右下方に位置する左下チューリップ式入賞装置２１４とが設けられている。また、遊技領域２０３の右側領域には、右上チューリップ式入賞装置２１５と、その直下に位置する右中チューリップ式入賞装置２１６と、さらにその直下に位置する右下普通入賞装置２１７と、さらにその左下方に位置する右下チューリップ式入賞装置２１８とが設けられている。さらに、遊技領域２０３の中央部には、中央入賞装置２３０が取り付けられている。この中央入賞装置２３０の直下には、中央上チューリップ式入賞装置２２１と、その直下に位置する中央下チューリップ式入賞装置２２２とが備えられている。また、中央入賞装置２３０の直上に位置する天位置普通入賞装置２２３も備えられている。
【００６０】
実施例２においては、左上チューリップ式入賞装置２１１、左中チューリップ式入賞装置２１２、左下普通入賞装置２１３、左下チューリップ式入賞装置２１４と、右上チューリップ式入賞装置２１５、右中チューリップ式入賞装置２１６、右下普通入賞装置２１７、右下チューリップ式入賞装置２１８とに関して、実施例１と同様の遊技球案内部１１０を各入賞装置の背後に入り口１１１が臨む様に裏ユニット２７０に設置している。そして、球出口部材１４０を左４個、右４個の遊技球案内部１１０に対して各１個ずつ裏ユニット２７０の下部に設置してある。
【００６１】
遊技球案内部１１０及び可撓性チューブ１３０は、実施例１と同じである。一方、球出口部材１４０は、幅広の本体１４１の上部に４本の上向き筒部１４２を備えたものとなっている。
【実施例３】
【００６２】
実施例３も普通機と呼ばれるタイプのパチンコ遊技機に本発明を適用した例である。図６に示す様に、遊技盤３０１の遊技領域３０３には、左側落とし位置、右側落とし位置に各１個のチューリップ式入賞装置３１１，３１２と、中央中程から上、中、下と縦一列に配置された３個のチューリップ式入賞装置３１３〜３１５とが備えられている。また、縦一列に配置されたチューリップ式入賞装置３１３〜３１５の直上位置、左肩位置及び右肩位置には、それぞれチャッカー入賞口３２１〜３２３が備えられている。また、中央のチャッカー入賞口３２１の上方には、滞留用役物３３０が備えられている。この滞留用役物３３０は、左右の側面に、遊技球とほぼ同じサイズの入球口３３１，３３２を備えると共に、底部に、中心に遊技球とほぼ同じサイズの落下孔３３３を有する１孔式クルーン３３４を備えている。また、滞留用役物３３０は、底面に、落下孔３３３の周縁から下方に伸びるガイド部３３５を備えている。さらに、滞留用役物３３０の中央上部は天位置チャッカー入賞口３３６となっている。
【００６３】
この滞留用役物３３０自体は入賞口ではなく、落下孔３３３から中央のチャッカー入賞口３２１へと遊技球を誘導し易くするための部材である。そして、滞留用役物３３０の底面から下方に伸びたガイド部３３５の下端と、その真下に位置する中央のチャッカー入賞口３２１との間には、側方から遊技球が侵入可能な飛び込みスペース３３７が設けられている。この飛び込みスペース３３７は、ガイド部３３５の下端の左右直下に配置されたガイド釘及び中央のチャッカー入賞口３２１の左右直上に配置された命釘からなる４本の障害釘群の間に形成され、左右に遊技球１個がちょうど侵入することのできる侵入口を備えた状態となっている。
【００６４】
入賞口としては、上述したものの他に、遊技領域３０３の左端及び右端に備えられた装飾部材３４０，３５０の下部内側に形成された普通入賞口３４１，３５１が備えられている。これらの合計１１個の入賞口３１１〜３１５、３２１〜３２３、３３６、３４１，３５１の内、中央チャッカー入賞口３２１、天位置チャッカー入賞口３３６以外の入賞口は、いずれも、遊技球が１個入賞すると賞球を１０個払い出す設定となっている。
【００６５】
実施例３においては、左肩位置及び右肩位置のチャッカー入賞口３２２，３２３と、普通入賞口３４１，３５１に関して、実施例１と同様の遊技球案内部１１０を各入賞装置の背後に入り口１１１が臨む様に裏ユニット３７０に設置している。そして、球出口部材１５０を左２個、右２個の遊技球案内部１１０に対して各１個ずつ裏ユニット３７０の下部に設置してある。
【００６６】
遊技球案内部１１０及び可撓性チューブ１３０は、実施例１と同じである。一方、球出口部材１５０は、幅広の本体１５１の上部に２本の上向き筒部１５２を備えたものとなっている。
【実施例４】
【００６７】
実施例４は、いわゆるデジパチと呼ばれるタイプのパチンコ遊技機に本発明を適用した例である。図７に示す様に、遊技盤４０１には、図柄変動表示装置（液晶表示装置）４０２を備えたセンター役物が配置されている。このセンター役物のすぐ下には始動入賞口４１１が配置されていて、この始動入賞口４１１に遊技球が入賞すると液晶表示装置４０２に表示される図柄が変動を開始する。また、遊技盤４０１には、これら部品の他に、液晶表示装置４０２を取り巻く様に配置されてセンター役物を構成する大型装飾部品（センター飾り）４１２、特別入賞口４１３、左下普通入賞口４１６ａ，４１６ｂ、右下普通入賞口４１７ａ，４１７ｂ等の各種の部品が取り付けられている。
【００６８】
実施例４においては、左下普通入賞口４１６ａ，４１６ｂ、右下普通入賞口４１７ａ，４１７ｂに関して、実施例１と同様の可撓性チューブ１３０を用いた球通路を備えている。この実施例では、裏ユニットの前面に取り付けられる球出口部材１２０も実施例１と同様のものとしているが、遊技球案内部１６０，１７０として、二つの入り口１６１ａ，１６１ｂ、１７１ａ，１７１ｂを備えるものを採用し、入り口１６１ａ，１６１ｂは、左下普通入賞口４１６ａ，４１６ｂの背後に臨ませ、入り口１７１ａ，１７１ｂは、右下普通入賞口４１７ａ，４１７ｂの背後に臨ませる様に設置する。可撓性チューブ１３０が外嵌される下向き筒部１６２，１７２、検知スイッチ１６３，１７３は実施例１と同様の構造であるが、下向き筒部に連続する誘導路１６４，１７４が各入り口へと二股に分かれたものとなっている。
【実施例５】
【００６９】
実施例５も、いわゆるデジパチと呼ばれるタイプのパチンコ遊技機に本発明を適用した例である。図８に示す様に、遊技盤５０１の遊技領域５０７の中央にはセンター役物５０３が配置されている。このセンター役物５０３のすぐ下には始動入賞口５１１が配置されていて、この始動入賞口５１１に遊技球が入賞すると７セグメント表示器５０２ａ〜５０２ｑが特別図柄の変動表示を開始する。また、遊技盤５０１には、これら部品の他に、障害釘、案内車、アウト口、普通入賞口５１２〜５１６等の各種部品が、取り付けられている。なお、大当たりの際に開放される特別入賞口５２０は、センター役物５０３の真上にあり、遊技領域５０７の上部中央に配置されている。
【００７０】
実施例５においては、特別入賞口５２０に関して、実施例１と同様の可撓性チューブ１３０を用いた球通路を備えている。この実施例では、裏ユニット５７０の前面に取り付けられる球出口部材１２０も実施例１と同様のものとしているが、遊技球案内部１８０として幅広の入り口１８１を備え、後方に伸びつつ下方に向かう誘導路１８２の先に連続する下向き筒部１８３は、検知スイッチ１８５の直下に伸びた後に右斜め下方向へ屈曲されたものとなっている。可撓性チューブ１３０は右斜め下に屈曲した下向き筒部１８２に対して外嵌する様に、右斜め下方向から裏ユニット５７０の前面に沿う様にして装着される。
【００７１】
この様に、各実施例は、チューブ１３０の長さと裏ユニットの一部の変更（ビス穴位置等）のみで盤面の変更に伴う入賞口の変更に対して対応することができる。
【００７２】
以上、発明を実施するための実施例を説明したが、本発明は、これらに限定されるものではなく、その要旨を逸脱しない範囲内における種々の変更が可能である。
【００７３】
各実施例では、一部の入賞口についてだけ本発明を適用した例を示したが、さらに他の入賞口についても本発明を適用し、全ての入賞口に対して本発明を適用しても構わない。
【産業上の利用可能性】
【００７４】
本発明はパチンコ機において利用することができる。
【符号の説明】
【００７５】
１・・・遊技盤、２・・・遊技盤、１０・・・センター役物、２・・・遊技領域、３１〜３３・・・始動入賞口、３４〜３７・・・普通入賞口、７０・・・裏ユニット、７１・・・枠部、１００・・・球通路、１１０・・・遊技球案内部、１１１・・・入り口、１１２・・・誘導路、１１３・・・下向き筒部、１１４・・・外向き段部、１１５・・・検知スイッチ、１２０・・・球出口部材、１２１・・・上向き筒部、１２２・・・内向き段部、１３０・・・可撓性チューブ、１４０・・・球出口部材、１４１・・・本体、１４２・・・上向き筒部、１５０・・・球出口部材、１５１・・・本体、１５２・・・上向き筒部、１６０・・・遊技球案内部、１６１ａ，１６１ｂ・・・入り口、１６２・・・下向き筒部、１６３・・・検知スイッチ、１６４・・・誘導路、１７０・・・遊技球案内部、１７１ａ，１７１ｂ・・・入り口、１７２・・・下向き筒部、１７３・・・検知スイッチ、１７４・・・誘導路、１８０・・・遊技球案内部、１８１・・・入り口、１８２・・・誘導路、１８３・・・下向き筒部、１８５・・・検知スイッチ、２０１・・・遊技盤、２０３・・・遊技領域、２１１・・・左上チューリップ式入賞装置、２１２・・・左中チューリップ式入賞装置、２１３・・・左下普通入賞装置、２１４・・・左下チューリップ式入賞装置、２１５・・・右上チューリップ式入賞装置、２１６・・・右中チューリップ式入賞装置、２１７・・・右下普通入賞装置、２１８・・・右下チューリップ式入賞装置、２２１・・・中央上チューリップ式入賞装置、２２２・・・中央下チューリップ式入賞装置、２２３・・・天位置普通入賞装置、２３０・・・中央入賞装置、２７０・・・裏ユニット、３０１・・・遊技盤、３０３・・・遊技領域、３１１〜３１５・・・チューリップ式入賞装置、３２１〜３２３・・・チャッカー入賞口、３３０・・・滞留用役物、３３６・・・天位置チャッカー入賞口、３４１，３５１・・・普通入賞口、３７０・・・裏ユニット、４０１・・・遊技盤、４２・・・液晶表示装置、４１１・・・始動入賞口、４１３・・・特別入賞口、４１６ａ，４１６ｂ・・・左下普通入賞口、４１７ａ，４１７ｂ・・・右下普通入賞口、５０１・・・遊技盤、５０２ａ〜５０２ｑ・・・７セグメント表示器、５０３・・・センター役物、５０７・・・遊技領域、５１１・・・始動入賞口、５１２〜５１６・・・普通入賞口、５２０・・・特別入賞口、５７０・・・裏ユニット。
【図１】
2015012944.tif 000003
【図２】
2015012944.tif 000004
【図３】
2015012944.tif 000005
【図４】
2015012944.tif 000006
【図５】
2015012944.tif 000007
【図６】
2015012944.tif 000008
【図７】
2015012944.tif 000009
【図８】
2015012944.tif 000010
【図９】
2015012944.tif 000011